(57)【要約】【課題】調整可能なペット用首輪の提供。【解決手段】一種の調整可能なペット用首輪であり、長いチェーン及び調整器を含み、その中の調整器は上蓋及び基座で構成される。基座に斜めレールが設置され、チェーンはそのレールに入れて置き、レールの一側に前記レールと垂直してしかも一端が密閉の滑り溝が有して、レールの他側にスロートが有する。滑り溝内にピンを有するピン座が設置され、ピン及び滑り溝の密閉端の間に弾性部品が設置され、ピンとスプリングの間の弾性作用により、チェーンの移動又は固定することで首輪の長さを調整することを制御する。これにより、ペット用首輪の調整はもっと便利で簡単となる。【選択図】図２
0003120147.tif 000002
【実用新案登録請求の範囲】
【請求項１】
調整可能なペット用首輪であり、長いチェーン及び調整器を包含し、該調整器は
上蓋及び基座で構成され、前記上蓋に隙間が設けられ、且つ前記基座に斜めレールが設置されて、前記チェーンはそのレールに入れて置き、前記レールの一側に前記レールと垂直して且つ一端が密閉の滑り溝を有し、レールの他側にスロートを有し、前記滑り溝内にピン座が設置され、前記ピン座及び前記滑り溝の密閉端の間に弾性部品が設置され、
これにより、前記チェーンで構成される首輪の長さは前記ピン座により制御できることを特徴とする調整可能なペット用首輪。
【請求項２】
前記チェーンの一端は前記基座に固定することを特徴とする請求項１に記載の調整可能なペット用首輪。
【請求項３】
前記斜めレールは、直線状のレールの上段及び下段で構成され、且つ前記上段及び下段の間に一つの角度を形成することを特徴とする請求項１に記載の調整可能なペット用首輪。
【請求項４】
請求項１に記載のペット用首輪において、そのうち、前記ボルト座は、基座、塊状体及び連接体を含み、その基座は滑り溝に置かれ、前記弾性部品に押し付ける一端に前記弾性部品と連接する円孔が設けられ、且つ他端に前記チェーンのチェーンユニートに挿入するピンが設けられ、
塊状体は前記上蓋に開放した隙間から突出され、
連接体は前記基座と前記塊状体の間に位置され、その広さは前記隙間より小さく且つ隙間に置かれることを特徴とする調整可能なペット用首輪。
【請求項５】
前記弾性部品はスプリングであることを特徴とする請求項１に記載の調整可能なペット用首輪。
【請求項６】
前記上蓋と基体はねじで係止することを特徴とする請求項１に記載の調整可能なペット用首輪。
【請求項７】
前記チェーンの他端に回転環が設けられることを特徴とする請求項２に記載の調整可能なペット用首輪。
【請求項８】
前記回転環は、チェーンと連接しない他端にベルト或いはナイロン糸が繋がられることを特徴とする請求項７に記載の調整可能なペット用首輪。
【考案の詳細な説明】
【技術分野】
【０００１】
本考案は、一種の調整可能なペット用首輪であり、特に可動ピンを用いてペット用首輪の長さを調整するチェーン式のペット用首輪である。
【背景技術】
【０００２】
一般の人は犬をつれて散歩に行く時、犬がぶらぶら何処にも歩くことを防止するために、普通はチェーン又はベルト等で犬の首を巻き付ける。今市販されているペット用首輪は図１のような長いチェーン１である。チェーン１は二つの連結環２、複数の相互に連結するチェーンユニット３及び回転環４で構成される。首輪を組み合わせる時に、チェーンユニット３を一つの連結環２に挿通して、回転環３を他の連結環２に挿通して係止することで、簡単なペット用首輪を構成する。しかしながら、前記ペット用首輪をペット（例えば、犬）の首を巻き付ける時、首輪の長さが固定できなくて、しかもペットの活動力により、使用者の引っ張る力が小さいため首輪の長さが大きくなって、ペットは首輪から外れることはもとより、使用者の大きな力で首輪の長さが小さくなって、ペットの首を巻き付ける危険が生じる恐れがある。
【考案の開示】
【考案が解決しようとする課題】
【０００３】
犬は人間の一番忠実な友達であり、動物を愛護する理念に基づき、考案者が長い間で犬のチェーンの製造とその研究をして、しかも社会にサービスを提供する情熱を持って、そして製品の欠点に対して改善して、本考案を提出する。
【０００４】
本考案の目的は調整可能なペット用首輪を提供して、それに設けられた調整器内のピン及びスプリング間の弾性作用でチェーンを固定させて或いは移動させることで首輪の長さを調整し、チェーン式首輪の調整を快速で確実となれる。
【０００５】
上記の目的を達するために、本考案にかかる調整可能なペット用首輪は長いチェーン及び調整器を含み、その中、前記調整器は上蓋及び基座で構成される。基座に斜めレールが設置され、チェーンはそのレールに入れて置き、レールの一側に前記レールと垂直してしかも一端が密閉の滑り溝が有して、レールの他側にスロートが有する。滑り溝内にピンを有するピン座が設置され、ピン及び滑り溝密閉端の間に弾性部品が設置され、ピン及びスプリング間の弾性作用により、チェーンの移動又は固定することで首輪の長さを調整することを制御できる。
【課題を解決するための手段】
【０００６】
請求項１の考案は、調整可能なペット用首輪であり、長いチェーン及び調整器を包含し、該調整器は上蓋及び基座で構成され、前記上蓋に隙間が設けられ、且つ前記基座に斜めレールが設置されて、前記チェーンはそのレールに入れて置き、前記レールの一側に前記レールと垂直して且つ一端が密閉の滑り溝を有し、レールの他側にスロートを有し、前記滑り溝内にピン座が設置され、前記ピン座及び前記滑り溝の密閉端の間に弾性部品が設置され、
これにより、前記チェーンで構成される首輪の長さは前記ピン座により制御できることを特徴とする調整可能なペット用首輪としている。
請求項２の考案は、前記チェーンの一端は前記基座に固定することを特徴とする請求項１に記載の調整可能なペット用首輪としている。
請求項３の考案は、前記斜めレールは、直線状のレールの上段及び下段で構成され、且つ前記上段及び下段の間に一つの角度を形成することを特徴とする請求項１に記載の調整可能なペット用首輪としている。
請求項４の考案は、請求項１に記載の調整可能なペット用首輪において、そのうち、前記ボルト座は、基座、塊状体及び連接体を含み、その基座は滑り溝に置かれ、前記弾性部品に押し付ける一端に前記弾性部品と連接する円孔が設けられ、且つ他端に前記チェーンのチェーンユニートに挿入するピンが設けられ、
塊状体は前記上蓋に開放した隙間から突出され、
連接体は前記基座と前記塊状体の間に位置され、その広さは前記隙間より小さく且つ隙間に置かれることを特徴とする調整可能なペット用首輪としている。
請求項５の考案は、前記弾性部品はスプリングであることを特徴とする請求項１に記載の調整可能なペット用首輪としている。
請求項６の考案は、前記上蓋と基体はねじで係止することを特徴とする請求項１に記載の調整可能なペット用首輪としている。
請求項７の考案は、前記チェーンの他端に回転環が設けられることを特徴とする請求項２に記載の調整可能なペット用首輪としている。
請求項８の考案は、前記回転環は、チェーンと連接しない他端にベルト或いはナイロン糸が繋がられることを特徴とする請求項７に記載の調整可能なペット用首輪としている。
【考案の効果】
【０００７】
本考案は調整可能なペット用首輪を提供して、それに設けられた調整器内のピン及びスプリング間の弾性作用でチェーンを固定させて或いは移動させることで首輪の長さを調整し、チェーン式首輪の調整を快速で確実となる。
【考案を実施するための最良の形態】
【０００８】
図２を参照すること。本考案のペット用首輪１０は、チェーン１１、調整器１２及び回転環１３を含み、前記チェーン１１の一端は回転環１３に固定され、チェーン１１の中間部分は調整器１２に挿通した後、他端は調整器１２に固定される。
【０００９】
また、図３を参照すること。図３は本考案にかかる一つの実施例による調整可能なペット用首輪の部品分解図である。本考案のチェーン１１の一端はリベット１３１で回転環１３に固定する。調整器１２は基座１２Ａ及び上蓋１２Ｂを含む。基座１２Ａ及び上蓋１２Ｂは、上部が台形を呈して下部が矩形を呈する塊状となる。基座１２Ａの両側はそれぞれ上へ向きの突出する小フランジ１２３を備えて、前記上部には凹溝式の斜めレール１２１を設置し、それは上段１２１１及び下段１２１２を分ける。上、下段１２１１及び１２１２はほとんど直線状となってしかも各々台形及び矩形の外輪廓と平行するため、両者の間は一つの角度を形成する。そういうように形成された角度は比較的にチェーン１１が重力で直線降下することを免れ、首輪の長さを調整する時、穏やかにチェーン１１を引くことに役に立つ。斜めレール１２１の一側は一端が垂直しかも下段１２１２と相通して又は他端が密閉の凹溝状の滑り溝１２４を設けって、そして下段１２１２の他端が滑り溝１２４と相対する位置に凹溝１２２３が設けられる。滑り溝１２４はピン座１２５及びスプリング１２６を格納できる。ピン座１２５は基座１２５１、塊状体１２５２、連接体１２５３を有する。基座１２５１は滑り溝１２４に置かれ、その一側にピン１２５４が設けられ、首輪の長さを調整する時、チェーン１１のチェーンユニット１１１に挿入される。基座１２５１の他側はスプリング１２６を収容する円孔１２５５を備え、スプリング１２６は円孔１２５５と滑り溝１２４の密閉端の間に押し付けられる。また、基座１２Ａは滑り溝１２４の下方にチェーン状の固定溝１２２を設け、固定溝１２２の一側と基座１２Ａの縁の間に通孔１２２１が設けられ、他側に収容溝１２２２が設けられる。また、基座１２Ａに分散的に複数の通孔１２Ａ１が設けられ、四つの隅に固定孔１２Ａ２が設けられる。また、上蓋１２Ｂは比較的に薄い板体であり、上に一端が密閉であり他端が開放で滑り溝１２４と相対する隙間１２９が設けられ、前記の基座１２５１の塊状体１２５２は連接体１２５３を前記隙間１２９に置くことにより調整器１２から突出する。且つ上蓋１２Ｂが基座１２Ａと相対する通孔１２Ａ１と固定孔１２Ａ２はそれぞれ複数のねじ収容座１２Ｂ１及び固定ピン１２Ｂ２を設け、通孔１２Ａ１を通したねじは収容座１２Ｂ１に固定される（図４に示される）。
【００１０】
本考案による調整可能なペット用首輪を組み合わせる時、図４に示すように、チェーン１１を斜めレール１２１に置かせて、チェーン１１の一端のチェーンユニット１１１を固定溝１２２に入れた後、ねじ１２８で通孔１２２１を挿通してチェーンユニット１１１に挿通した後に収容溝１２２２に固定する。チェーン１１の一端を調整器１２に固定する。また、ピン座１２５及びスプリング１２６の組合せを滑り溝１２４に置き、スプリング１２６の弾性作用により、ピン座１２５前側のピン１２５４は自動的にチェーン１１のチェーンユニット１１１に挿通して対面の凹溝１２２３に係止する。最後、上蓋１２Ｂの固定ピン１２Ｂ２を基座１２Ａの固定孔１２Ａ２に合わせ、しかも前記ピン座１２５の塊状体１２５２を隙間１２９から突出させた後、上蓋１２Ｂを基座１２Ａに締まって且つ小フランジ１２３の範囲内に置き、ねじ１２７で通孔１２Ａ１を通じて収容座１２Ｂ１に係合することにより、上蓋１２Ｂと基座１２Ａが係合され、本考案による調整可能なペット用首輪を組み合わせることができる。
【００１１】
図５を参照すること。首輪の長さを調整する時、ピン座１２５の塊状体１２５２を後ろへ推して、ピン１２５４をチェーンユニット１１１から外させ、その時、チェーン１１を上へ向き又は下へ向き引くことで首輪の長さを調整できる。首輪を適当な長さまで調整する時、塊状体１２５２を外して、ピン１２５４はスプリング１２６の弾性で自動に跳び返してチェーンユニット１１１に係止する。図４に示すように、首輪長さの調整が完成される。
【００１２】
また、図６に示すように、本考案の調整可能な首輪は回転環１３にベルト或いはナイロン糸１４で繋がることができ、犬の飼い主に犬を巻き付ける首輪を持ちやすい利便性となれる。
【図面の簡単な説明】
【００１３】
【図１】従来のペット用首輪の構造を示す透視図である。
【図２】本考案の調整可能なペット用首輪の一つの実施例を示す透視図である。
【図３】本考案の調整可能なペット用首輪の一つの実施例を示す部品分解図である。
【図４】本考案の調整可能なペット用首輪の一つの実施例を示す調整後の断面図である。
【図５】本考案の調整可能なペット用首輪の一つの実施例を示す調整中の断面図である。
【図６】本考案の調整可能なペット用首輪の一つの実施例を示す使用状態の表示図である。
【符号の説明】
【００１４】
１０  ペット用首輪
１１  チェーン
１２  調整器
１２Ａ  基座
１２Ｂ  上蓋
１３  回転環
１４  ベルト或いはナイロン糸
１１１  チェーンユニット
１２１  斜めレール
１２２  固定溝
１２３  小フランジ
１２４  滑り溝
１２５  ピン座
１２６  スプリング
１２７  ねじ
１２８  ねじ
１２９  隙間
１２１１  レール上段
１２１２  レール下段
１２２１  通孔
１２２２  収容溝
１２２３  凹溝
１２５１  基座
１２５２  塊状体
１２５３  連接体
１２５４  ピン
１２５５  円孔
１２Ａ１  通孔
１２Ａ２  固定孔
１２Ｂ１  収容座
１２Ｂ２  固定ピン
【図１】
0003120147.tif 000003
【図２】
0003120147.tif 000004
【図３】
0003120147.tif 000005
【図４】
0003120147.tif 000006
【図５】
0003120147.tif 000007
【図６】
0003120147.tif 000008